(57)【要約】【課題】必要とする色成分情報の異なる各種の出力機器へ画像データを送出する際に、必要とする色成分情報がどちらであっても処理時間を必要とせず、出力機器側へ正確な色再現の可能な画像データを送出できる光学装置を得ること。【解決手段】異なる波長（色）の光を異なる深さで吸収するという特性を利用し、一つの光起電力セル群から、Ｒ・Ｇ・Ｂの３原色を検出する撮像素子を用いて得た原色系と補色系の画像データを記憶し、通信時は、この画像データを選択して送信する。【選択図】        図４
2004274308.tif 000002
【特許請求の範囲】
【請求項１】
撮像素子と、該撮像素子に被写体光を導く撮像光学系と、該撮像素子から得られる光電変換信号に所定の処理を施すことにより画像データを形成する画像処理手段と、該画像処理手段で形成された画像データを記憶する記憶手段とを有し、
該記憶手段は、一つの画像について原色系の画像データ及び補色系の画像データを記憶することを特徴とする光学装置。
【請求項２】
前記撮像素子は、光軸方向に沿って複数の光起電力セルを積層し、各々異なる感光波長領域を設定したセル群を備え、該セル群に入射する光の色成分情報を得る撮像素子、であることを特徴とする請求項１に記載の光学装置。
【請求項３】
前記光学装置は、前記原色系の画像データと前記補色系の画像データの少なくともいずれかを選択する機能と、他の機器と通信する機能を有し、
該機器との通信の際、該機器に応じて選択された画像データを送信することを特徴とする請求項１又は２に記載の光学装置。
【請求項４】
前記記憶手段は、内蔵メモリと着脱可能なメモリであり、
該内蔵メモリには前記補色系の画像データを記憶し、該着脱可能なメモリには前記原色系の画像データを記憶することを特徴とする請求項１〜３のいずれか１項に記載の光学装置。
【発明の詳細な説明】
【０００１】
【発明の属する技術分野】
本発明は、被写体光像を光電変換し画像データとして記憶するデジタルカメラ等の光学装置に関するものである。
【０００２】
【従来の技術】
従来より、被写体光を光電変換しデジタルの画像データとして記憶するデジタルカメラが知られている。ユーザーはこれらで得た画像をパーソナルコンピュータ（以下、パソコンという。）を介し、家庭でプリントすることが可能となっている。また、近年では所謂ダイレクトプリントと称し、パソコンを介さず、カメラとプリンタを直接的に接続してプリント可能としたものもある。
【０００３】
一方、これらデジタルカメラ等の光学装置においては、ＣＣＤ（ＣｈａｒｇｅＣｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子が広く使用されている。
【０００４】
上記の撮像素子は、カラー画像を得るために、撮像部の最小単位であるフォトセンサ個々の上にカラーフィルタを被せ色を検出するようになっている。このカラーフィルタには、Ｒ（レッド）・Ｇ（グリーン）・Ｂ（ブルー）を用いた原色系タイプと、Ｙ（イエロー）・Ｍ（マゼンタ）・Ｃ（シアン）・Ｇ（グリーン）を用いた補色系タイプの２種が知られている。
【０００５】
一方、新方式のＣＭＯＳ撮像素子が開発されカメラに搭載されるようになった。この新方式の撮像素子は、シリコンが持つ、異なる波長（色）の光を異なるトラップ深さで吸収するという特性を利用し、一つの光起電力セル群から、Ｒ・Ｇ・Ｂの３原色を検出するようにしたものである（例えば、特許文献１参照。）。
【０００６】
【特許文献１】
特公平６−５２８０２号公報
【０００７】
【発明が解決しようとする課題】
デジタルカメラ等の光学装置で得た被写体画像を、例えばパソコンのモニターやプリンター等の他の出力機器へ送出し、表示させたり、プリントアウトさせたりする場合、それら出力機器の仕様は、原色系の色情報を必要とするもの、補色系の色情報を必要とするものの２種に大別される。一般的には、パソコンは原色系、プリンタは補色系の色情報を必要とする。
【０００８】
一方、デジタルカメラ等の光学装置は画像データを記憶する例えばフラッシュメモリ等の記憶手段には原色系のみのデータを記憶している。上記のＣＣＤやＣＭＯＳの撮像素子は、カラーフィルタに対応して原色系もしくは補色系のデータのいずれか一方しか直接的には得られない。このため補色系タイプの撮像素子を搭載した光学機器は、得られた被写体の補色系のデータを原色系のデータに変換し、記憶手段であるフラッシュメモリ等に記憶していた。
【０００９】
このため、パソコンを介し家庭でプリントする場合、カメラからパソコンへのデータの送出時は原色系のデータを送出し、パソコンで補色系のデータに変換しプリンタへ送出するため問題とならなかったが、ダイレクトプリントの場合、補色系のデータの必要なプリンターに画像データを送出する時は、カメラが保有している原色系のデータ、即ちＢ・Ｇ・ＲのデータからＹ・Ｍ・Ｃを演算処理により求めた後、出力機器へ送出しなくてはならない。このため、画像データ数が多いと演算処理時間が膨大になり、更には演算による変換データであるため出力された画像の色再現性が悪化する等の問題がある。
【００１０】
一方、特許文献１に記載の撮像素子は、光起電力セル群上にカラーフィルタを被せずとも色情報を取り出すことができるものである。この特許文献１は、取り出す色情報が、Ｂ・Ｇ・Ｒ及びＩＲ（赤外）を得るに止まっている。
【００１１】
本発明は、上記の問題に鑑み、必要とする色成分情報の異なる各種の出力機器へ画像データを送出する際にも処理時間がかからず、出力機器側へ正確な色再現の可能な画像データを送出できる光学装置を得ることを目的とするものである。
【００１２】
【課題を解決するための手段】
上記の目的は、撮像素子と、該撮像素子に被写体光を導く撮像光学系と、該撮像素子から得られる光電変換信号に所定の処理を施すことにより画像データを形成する画像処理手段と、該画像処理手段で形成された画像データを記憶する記憶手段とを有し、該記憶手段は、一つの画像について原色系の画像データ及び補色系の画像データを記憶することを特徴とする光学装置、とすることで達成される。
【００１３】
これにより必要とする色成分情報が補色系の画像データを必要とする出力機器へのデータの送出も処理時間を要せず短時間でできるようになる。
【００１４】
この光学装置の撮像素子は、光軸方向に沿って複数の光起電力セルを積層し、各々異なる感光波長領域を設定したセル群を備え、該セル群に入射する光の色成分情報を得る撮像素子、とすることが望ましい。
【００１５】
これにより、原色系画像データと補色系画像データ間で煩雑なデータ変換をすること無しに、１回の撮影で原色系の画像のデータと補色系の画像データを得、更に、この両方のデータを記憶し、必要とする色成分情報が補色系の画像データを必要とする出力機器へのデータの送出も処理時間を要せず短時間でできるようになる。
【００１６】
また、この光学装置は、前記原色系の画像データと前記補色系の画像データの少なくともいずれかを選択する機能と、他の機器と通信する機能を有し、該機器との通信の際、該機器に応じて選択された画像データを送信すること、とすることが望ましい。
【００１７】
即ち、この光学装置と出力機器が通信する場合は、光学装置内に原色系と補色系のデータを持つため、出力機器の必要とする色成分情報を選択して原色系か補色系のいずれか又は両方の画像データを送出することができる。
【００１８】
更に、この光学装置の記憶手段は、内蔵メモリと着脱可能なメモリであり、該内蔵メモリには前記補色系の画像データを記憶し、該着脱可能なメモリには前記原色系の画像データを記憶すること、とすることが望ましい。
【００１９】
これにより、着脱可能なメモリをはずして単独で他の出力機器に挿入して使用する場合は、従来と同じ原色系の画像データを送出することで、従来からある機器との互換性を保つことができ混乱を生じなくすることができる。
【００２０】
【発明の実施の形態】
以下、実施の形態により本発明を詳しく説明するが、本発明はこれに限定されるものではない。
【００２１】
本発明は、被写体を光電変換し画像データとして記憶する光学装置、即ちデジタルカメラ、カメラ内蔵携帯端末等に適用可能であるが、これらのうちデジタルカメラを例にとり以下に説明する。
【００２２】
図１は、本発明を適用した光学装置の一例のデジタルカメラ５０の外観図である。図１（ａ）はカメラ前面の斜視図、図１（ｂ）はカメラ背面の斜視図である。
【００２３】
図１（ａ）において、８１は撮像光学系であり、本例ではズームレンズである。この撮像光学系８１の後方に撮像素子が配置される。８２はファインダ窓、８３はレリーズ釦、８４はフラッシュ発光部、８６はマイク、８７はストラップ取り付け部、８８は外部入出力端子（例えばＵＳＢ端子）である。８９はレンズカバーであり、不使用時は撮像光学系８１は沈胴する。レリーズ釦８３はその１段の押し込み（以後スイッチＳ１のＯＮという）によりカメラの撮影準備動作、即ち焦点合わせ動作や測光動作が行われ、その２段の押し込み（以後スイッチＳ２のＯＮという）により撮影露光動作が行われる。
【００２４】
図１（ｂ）において、９１はファインダ接眼部、９２は赤と緑の表示ランプであり、ＡＦ（焦点調整）やＡＥ（露光条件の設定）の情報をスイッチＳ１がＯＮされた時、点灯もしくは点滅により撮影者に表示するものである。９３はズーム釦であり、ズームアップ、ズームダウンをおこなう釦である。９４はスピーカであり、マイク８６で録音した音声の再生や、レリーズ音等を発するものである。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型のリムーバブルメモリが装填されるようになっている。
【００２５】
図２は、本発明を適用した光学装置の一例のデジタルカメラの概略ブロック図である。
【００２６】
同図において、１２は各回路を制御するＣＰＵである。撮像光学系８１は前群レンズ２９、後群レンズ１、絞りシャッターユニット２と、この絞りシャッターユニット２を駆動する第１モータ１５、後群レンズ１を駆動する第２モータ１７、前群レンズ２９を駆動する第３モータ２７で構成されている。これら３つのモータはそれぞれ第１モータ駆動回路１６、第２モータ駆動回路１８、第３モータ駆動回路２６を介し、ＣＰＵ１２からの信号によりそれぞれ個別に駆動制御される。２８は赤外カットフィルタである。
【００２７】
３ａは撮像素子であり、３ｂはＡ／Ｄ変換回路であり撮像素子からの光電変換信号をデジタルデータに変換する。４はスイッチング回路でありＣＰＵ１２からの指令に応じデジタルデータを撮像回路５又はＡＥ／ＡＦ処理回路１３へ送るかを切り替える回路である。５の撮像回路はＡ／Ｄ変換回路３ｂより送られてくるデジタルデータを所定の処理を施しデジタル画像データとするものである。６はバッファメモリである。
【００２８】
７はメモリ制御回路であり、撮像回路５からの出力をバッファメモリ６に格納する。８はＤ／Ａ変換回路であり、バッファメモリ６に一時的に記憶された画像信号を読み出してアナログ信号に変換すると共に、再生出力に適する形態の画像信号に変換する。１００はＬＣＤやＥＬディスプレイ等からなる画像表示部であり、Ｄ／Ａ変換回路８より出力された画像信号を画像として表示する。
【００２９】
１１０はフラッシュメモリ等の固定型の内蔵メモリであり、データ化された画像信号を記録する記録媒体である。１１１は着脱可能なリムーバブルメモリであり、例えばフラッシュメモリ等の着脱自在のカード形状若しくはスティック形状の半導体メモリ等が適用される。
【００３０】
１０は圧縮・伸長回路であり、バッファメモリ６に一時的に記憶された画像信号をメモリ制御回路７を介し読み出して内蔵メモリ１１０とリムーバブルメモリ１１１に記録するのに適した形態とするために圧縮処理や符号化等のデータ化を施す圧縮回路と、内蔵メモリ１１０もしくはリムーバブルメモリ１１１に格納された画像データを再生表示するのに最適な形態とするための復号化や伸長処理を施す伸長処理回路とからなる。１３はＡＥ・ＡＦ処理回路であり、Ａ／Ｄ変換回路３ｂからの出力を受けて、撮像光学系８１の焦点調整と露光条件の設定に用いられる。
【００３１】
２０は電気的に書き換え可能な読み出し専用メモリであるＥＥＰＲＯＭであり、ＣＰＵ１２に接続され、これを介して各種の制御を行うプログラムや各種動作に使用するデータ等が予め記憶されている。
【００３２】
２１は操作スイッチ群からなる操作スイッチであり、ＣＰＵ１２に接続され、各種動作の指令信号を発生させる。例えば、本デジタルカメラを起動させ電源供給を行う指示信号を発生させるパワースイッチ、撮影動作（記録動作）等を開始させるための指示信号を発生させるレリーズスイッチを始め、図１に示す各操作部材の操作によって作動する各種のスイッチから構成されている。
【００３３】
８４は撮影補助光としてのフラッシュ発光部であり、スイッチング回路２３によってフラッシュ発光のオンオフや発光量が制御される。１９は各回路に電力を供給する電池である。
【００３４】
１１２はインターフェイスであり、８８は外部入出力端子である。この外部入出力端子８８は、例えばＵＳＢ端子等で構成され、他の機器即ちパソコンやプリンターと接続され、データの送出等の通信を行う接続部である。
【００３５】
以上の如く構成されたデジタルカメラ５０の動作のうち本発明に係る撮影及び画像データの記憶に関する動作について説明する。
【００３６】
撮像光学系８１を透過した光束は、絞り２により光量が調整され、撮像素子３ａの光電変換面上に被写体像として結像される。
【００３７】
図３は、この撮像素子の１画素の断面構造を示す模式図である。Ｂ（ブルー）とＧ（グリーン）とＲ（レッド）を感知する光起電力セル４２Ｂ、Ｇ（グリーン）とＲ（レッド）を感知する光起電力セル４２Ｇ、Ｒ（レッド）を感知する光起電力セル４２Ｒが設けられる。この光起電力セル４２Ｂ、４２Ｇ、４２Ｒには透明導電層４４Ｂ、４４Ｇ、４４Ｒが設けられ、それぞれ接続端子４８ａ、４８ｂ、４８ｃが接続されている。また、最下層４０の接続端子４８ｄは、接続端子４８ａと閉回路５２により電気的に接続される。５４は電源であり５５はダイオード或いは抵抗で構成される。
【００３８】
このような構成の光起電力セル群に、光が透明導電層４４Ｂ側より入射した場合、光起電力セル４２Ｂの両端の端子４８ａと４８ｂ間の電圧は、入射光の色成分のうち（Ｂ＋Ｇ＋Ｒ）に相当する電圧を発生し、光起電力セル４２Ｇの両端の端子４８ｂと４８ｃ間の電圧は、入射光の色成分のうち（Ｇ＋Ｒ）に相当する電圧を発生し、光起電力セル４２Ｒの両端の端子４８ｃと４８ｄ間の電圧は、入射光の色成分のうち（Ｒ）に相当する電圧を発生するようになっている。
【００３９】
撮像素子３ａは、このような光起電力セル群を、例えばマトリクス状に複数個並べ、光電変換面としたものである。
【００４０】
光電変換面に入射した被写体光はこの撮像素子３ａにより電気的な信号に変換され、Ａ／Ｄ変換回路３ｂへ送られデジタルデータに変換された後、スイッチング回路４へ送られる。このスイッチング回路４は撮像回路５へこのデジタルデータを送るか、ＡＥ／ＡＦ処理回路１３に送るか切り替えるものである。
【００４１】
撮像回路５へ送る場合は、この撮像回路５で所定の処理を行い画像データとした後、メモリ制御回路７を経て、バッファメモリ６に一時的に記憶する。
【００４２】
この撮像回路５の所定の処理のうち、本発明に係る原色系と補色系の画像データの取得方法について説明する。なお、光起電力セル４２Ｂの両端の接続端子４８ａ、４８ｂ間の電圧のＡ／Ｄ変換後のデジタルデータを（Ｂ＋Ｇ＋Ｒ）、光起電力セル４２Ｇの両端の接続端子４８ｂ、４８ｃ間の電圧のＡ／Ｄ変換後のデジタルデータを（Ｇ＋Ｒ）、光起電力セル４２Ｒの両端の接続端子４８ｃ、４８ｄ間の電圧のＡ／Ｄ変換後のデジタルデータを（Ｒ）として説明する。
【００４３】
Ａ／Ｄ変換回路３ｂより送出される光起電力セルの各層に入射した入射光の色成分のデジタルデータ、即ち（Ｂ＋Ｇ＋Ｒ）と（Ｇ＋Ｒ）と（Ｒ）のデジタルデータより、Ｂ・Ｇ・Ｒの原色系の色成分に分離することと、Ｙ・Ｍ・Ｃの補色系の色成分に分離した画像データにすることである。この分離は、例えば以下のように行うことができる。
【００４４】
Ｂ・Ｇ・Ｒの個々の分離は、｛（Ｂ＋Ｇ＋Ｒ）−（Ｇ＋Ｒ）｝で（Ｂ）が得られ、｛（Ｇ＋Ｒ）−（Ｒ）｝で（Ｇ）を得ることができる。
【００４５】
またＹ・Ｍ・Ｃの個々の分離は、（Ｇ＋Ｒ）がそのままＥ（Ｙ）であり、｛（Ｂ＋Ｇ＋Ｒ）−（Ｒ）｝で（Ｃ）が得られ、｛（Ｂ＋Ｇ＋Ｒ）−（Ｇ＋Ｒ）＋（Ｒ）｝で（Ｍ）が得られる。
【００４６】
即ち、原色系（Ｂ・Ｇ・Ｒ）の画像データからデータ変換して補色系（Ｙ・Ｍ・Ｃ）の画像データを得たり、またその逆のデータ変換をすること無しに、原色系の画像データと補色系の画像データを、この撮像素子の出力から得ることができるということである。
【００４７】
図２に戻り、このバッファメモリ６には上述のようにして形成された一つの画像に関する原色系と補色系の２種の画像データが記憶され、このうち原色系の画像データは、メモリ制御回路７を経てＤ／Ａ変換回路８でアナログ信号に変換されると共に、表示に最適な形態に変換され、画像表示部１００に画像として表示される。即ち、撮影モードにおいては撮像素子３ａにより得た画像を画像表示部１００に連続的に表示することにより、ファインダとしての機能も受け持っている。
【００４８】
この後、レリーズスイッチの信号を受けて実露光処理が実行されると、ＡＥ処理で決められた露光条件で絞りシャッタユニット２は閉じ動作を行い、上記と同様にＡ／Ｄ変換回路３ｂ、スイッチング回路４、撮像回路５を経て原色系と補色系の２種の画像データがバッファメモリ６に記憶される。この後、上記の一つの画像に関する原色系と補色系の２種の画像データに対して、圧縮・伸張回路１０において圧縮処理が施され、それぞれ記録に最適な形態の画像データに変換され、補色系の画像データは内蔵メモリ１１０へ、原色系の画像データはリムーバブルメモリ１１１に記憶される。
【００４９】
また、操作スイッチ２１のうち、再生動作を行うべき指令信号を発生させる再生スイッチ（図示せず）が操作されると、再生動作が開始される。すると、リムーバブルメモリ１１１に格納された画像データは圧縮・伸長回路１０に出力され、復号化や伸長処理がなされてバッファメモリ６に一時的に記憶される。更に、メモリ制御回路７を経て、Ｄ／Ａ変換回路８にてアナログ信号化され、表示に最適な形態の信号に変換されて、画像表示部１００にて再生表示が行われる。
【００５０】
なお、画像表示部１００には、予めＣＰＵ１２に記憶されている撮影時や再生時のメニューを表示することもできるようになっている。
【００５１】
なお、画像データの記憶を補色系の画像データは内蔵メモリ１１０へ、原色系の画像データはリムーバブルメモリ１１１に記憶するように構成したが、内蔵メモリ１１０のみ或いはリムーバブルメモリ１１１のみとして、両方の画像データを記憶するようにしてもよいのは勿論である。
【００５２】
図４は、撮影及び記録動作時の概略動作を示すフローチャートである。
図４に示すフローは、図１に示すカメラのレンズカバー８９が開かれ、連動してメインスイッチがＯＮされ、撮像光学系８１が繰り出された状態からのものである。
【００５３】
まずメインスイッチの状態を確認し（Ｓ１０１）、ＯＮ状態ならばレリーズ釦のスイッチＳ１がＯＮされるのを待機する（Ｓ１０２）。スイッチＳ１がＯＮされると撮影準備動作、即ちＡＥ・ＡＦ処理動作を行う（Ｓ１０３）。この後、再度スイッチＳ１がＯＮされているか確認（Ｓ１０４）し、ＯＦＦの場合はＳ１０２へ戻り、ＯＮ状態であればレリーズ釦のスイッチＳ２がＯＮされるのを待機する（Ｓ１０５）。スイッチＳ２がＯＮされると撮影動作（Ｓ１０６）を行い、撮像素子３ａで得られた光電変換信号をＡ／Ｄ変換回路３ｂでＡ／Ｄ変換する（Ｓ１０７）。
【００５４】
次いで、得られたＡ／Ｄ変換後のデジタルデータ（Ｂ＋Ｇ＋Ｒ）、（Ｇ＋Ｒ）、（Ｒ）を、撮像回路５で前述の方法で（Ｂ）、（Ｇ）、（Ｒ）の原色系の色成分の画像データと、（Ｙ）、（Ｍ）、（Ｃ）の補色系の色成分の画像データに分離する（Ｓ１０８）。次に、この２種類の色成分の画像データをバッファメモリ６へ一時格納（Ｓ１１０）し、圧縮・伸張回路１０で圧縮（Ｓ１１１）を行った後、リムーバブルメモリ１１１へ原色系の画像データを、内蔵メモリ１１０へ補色系の画像データを格納する（Ｓ１１２）。これで１枚の画像の撮影及び画像データの記憶が終了し、一つの画像について原色系の画像データ及び補色系の画像データの双方が記憶されることになる。
【００５５】
この後、Ｓ１０１へ戻り、メインスイッチがＯＮされていれば、２画像目の撮影のために上記と同様の動作を行い、ＯＦＦされれば撮像光学系８１を沈胴させる等の終了のための処理（Ｓ１１３）を行い終了する。
【００５６】
以上が本発明に係る光学装置の撮影、原色系と補色系の画像データの形成、この両方の画像データの記憶に関する動作である。
【００５７】
図５は、デジタルカメラ５０とプリンター６０を接続した図である。同図は所謂ダイレクトプリント時のものである。
【００５８】
同図において、デジタルカメラ５０の外部入出力端子８８とプリンター６０の外部入出力端子（図示せず）が通信手段７０により接続されている。この通信手段７０としては、ＵＳＢ形式のポート及びＵＳＢケーブルからなるインターフェイスが使用される。このように構成した場合、デジタルカメラ５０がホストとなりプリンター６０がデバイスとして設定される。
【００５９】
またこの通信手段７０としては、これに限らず無線通信方式でもよい。無線通信方式としては、例えば赤外線などの光、または短波、或いはマイクロ波などを含む電磁波が使用可能である。
【００６０】
図６は、デジタルカメラ５０とプリンター６０を通信手段で接続した時の相互の概略の動作を示すフローチャートである。同図左がデジタルカメラ５０、同図右がプリンター６０の動作を示している。以下、同図に従い説明する。
【００６１】
まずデジタルカメラ５０により被写体の撮影実行（Ｓ２０１）とこの被写体画像の原色系と補色系の画像データを記憶する（Ｓ２０２）。詳しくは、図４のフローチャートで説明した通りである。なおこの時は、デジタルカメラ５０とプリンター６０は接続されていない。
【００６２】
カメラの使用者は、画像データの内から印刷を所望する画像を選択し、印刷枚数と印刷レイアウト等を入力する（Ｓ２０３）。この画像の選択は、画像表示部１００（図１参照）に表示された画像を見ながら操作ＳＷ２１を操作することにより実施する。或いは縮小画像を表示させ、その縮小画像を見ながら所望の画像を選択してもよい。
【００６３】
使用者が、カメラ５０とプリンター６０をＵＳＢケーブルからなる通信手段７０で接続すると、カメラ５０の図示しない検出部はプリンター６０の接続を検出する（Ｓ２０４）。この時プリンター６０では既に電源が投入されている（Ｓ３０１）。
【００６４】
カメラ５０がプリンター６０の接続を検出するとプリンター６０へ起動信号を送信し（Ｓ２０５）、プリンター６０はこの起動信号を受信し（Ｓ３０２）、ダウンローダーを起動する（Ｓ３０３）。
【００６５】
プリンター６０は、カメラ５０に対し印刷に必要とする画像データの色成分情報、即ち原色系か補色系のどちらが必要か（一般には補色系）を送信（Ｓ３０４）し、カメラ５０はこのプリンター６０の必要とする色成分情報を受信する（Ｓ２０６）。
【００６６】
この後、カメラ５０はＳ２０３で選択された画像について原色系と補色系の２種の画像データのうち、プリンター６０が必要と送信してきた色成分情報を選択し、既にＳ２０３で入力された印刷枚数、印刷レイアウト等の印刷データをプリンター６０へ送信する（Ｓ２０７）。プリンター６０は、この印刷データを受信し（Ｓ３０５）、印刷を実行する（Ｓ３０６）。
【００６７】
画像の印刷が終了すると、ダウンローダは受信した印刷データを削除し（Ｓ３０７）、ダウンローダ自身も終了する。以上が所謂ダイレクトプリント時の概略の動作である。
【００６８】
なお、一般にプリンタの必要とする色成分情報は補色系であるため、プリンター６０との接続を認識した場合、一義的に補色系の画像データを選択するように構成してもよい。また上記のように構成することにより、プリンター６０の必要とする色成分情報が、たとえ原色系であっても原色系の画像データを選択し送信することで対応可能である。
【００６９】
即ち、光学装置の記憶手段に一つの画像について原色系の画像データ及び補色系の画像データを記憶することで、原色系、補色系のいずれの画像データを必要とする出力機器へのデータの送出も処理時間を要せず短時間でできるようになる。
【００７０】
図７は、カメラ５０とプリンター６０をパソコン６１を介し接続した図である。同図は、従来のカメラ５０とパソコン６１をＵＳＢケーブルからなる通信手段７０で接続し、パソコン６１とプリンター６０を同様にＵＳＢケーブルからなる通信手段７１で接続したものであり、パソコン６１がホストとして機能し、カメラ５０とプリンター６０はデバイスとして設定される。
【００７１】
同図において、パソコン６１は、制御記録部１３０、入力部としてのキーボード１３１、マウス１３２、表示部１３３で構成され、制御記録部１３０に接続部を有し、カメラ５０、プリンタ６０と接続される。
【００７２】
図８は、デジタルカメラ５０とパソコン６１とプリンター６０を通信手段で接続した時の相互の概略の動作を示すフローチャートである。同図左がデジタルカメラ５０、同図中がパソコン６１、同図右がプリンター６０の動作を示している。以下、同図に従い説明する。
【００７３】
まずデジタルカメラ５０により被写体の撮影実行（Ｓ２０１）とこの被写体画像の原色系と補色系の画像データを記憶する（Ｓ２０２）。詳しくは、図４のフローチャートで説明した通りである。なおこの時は、デジタルカメラ５０とパソコン６１は接続されていない。
【００７４】
使用者が、カメラ５０とパソコン６１をＵＳＢケーブルからなる通信手段７０で接続すると、カメラ５０の図示しない検出部はパソコン６１の接続を認識する（Ｓ２３０）。この時パソコン６１及びプリンター６０では既に電源が投入されている（Ｓ３０１）（Ｓ４０１）。またパソコン６１は、ＯＳ（オペレーティングシステム）が起動されており（Ｓ３０２）、パソコン６１もカメラ５０の接続を認識する（Ｓ３３０）。
【００７５】
カメラ５０がパソコン６１の接続を検出するとパソコン６１へ起動信号を送信し（Ｓ２３１）、パソコン６１はこの起動信号を受信し（Ｓ３３１）、ダウンローダーを起動する（Ｓ３３２）。
【００７６】
パソコン６１は、カメラ５０に対しパソコン６１が必要とする画像データの色成分情報を送信（Ｓ３３３）し、カメラ５０はこのパソコン６１の必要とする色成分情報を受信する（Ｓ２３２）。
【００７７】
この後、カメラ５０は記憶している原色系と補色系の２種の画像データのうち、パソコン６１が必要と送信してきた色成分情報を選択し、この選択された色成分情報で記憶している画像を送信する（Ｓ２３３）。パソコン６１はユーティリティを起動し（Ｓ３３４）、送信された画像データを受信する（Ｓ３３５）。
【００７８】
パソコン６１で使用者は、印刷する画像を選択し、さらに印刷枚数、印刷レイアウト等を入力する（Ｓ３３６）。この後、受信した原色系の画像データをプリンター６０に適合する補色系の画像データに変換して印刷データを作成し、入力された印刷枚数、印刷レイアウト等と共にプリンター６０へ送信する（Ｓ３３７）。プリンター６０は、この印刷データを受信し（Ｓ４０２）、印刷を実行する（Ｓ４０３）。
【００７９】
画像の印刷が終了すると、ダウンローダは作成した印刷データを削除し（Ｓ３３８）、ダウンローダ自身も終了する。以上がデジタルカメラ５０とパソコン６１とプリンター６０を通信手段で接続した時の相互の概略の動作である。
【００８０】
なお、一般にパソコン６１が必要とする色成分情報は原色系であるため、パソコン６１との接続を認識した場合、一義的に原色系の画像データを選択するように構成してもよい。このようにすることで従来からある機器との互換性を保つことができ混乱を生じなくすることも可能である。
【００８１】
一方、この互換性を必要としなければ、パソコン６１にプリンター６０が接続されている場合は、パソコン６１からカメラ５０へ必要とする色成分情報が両方であることを送信し、これを受信したカメラ５０はパソコン６１へ原色系及び補色系の両方の画像データを送信し、パソコン６１では原色系の画像データを取り扱い、プリンター６０への送信は補色系の画像データを送信するよう構成してもよい。これによりパソコン６１での原色系の画像データをプリンター６０に適合する補色系の画像データに変換する時間を省略し、変換による色再現性の悪化を防止することも可能となる。
【００８２】
図９は、パソコン６１に接続されたプリンター６０に、リムーバブルメモリ１１１をＰＣカードアダプタ１５１を介して挿入する場合の図である。同図において、プリンター６０はＰＣカード用のスロット１４１を備えており、原色系の画像データを記憶したリムーバブルメモリ１１１はＰＣカードアダプタ１５１を介してスロット１４１へ挿入される。またパソコン６１はプリンター６０とＵＳＢケーブルからなる通信手段７１で接続されている。なおスロットは各種カードに対応した複数のスロットであってもよい。
【００８３】
図１０は、プリンター６０に、リムーバブルメモリ１１１を挿入した時の、パソコン６１とプリンター６０の相互の概略動作のフローチャートである。以下同図に従い説明する。
【００８４】
既に、パソコン６１にプリンター６０が接続され、共に電源がＯＮされる（Ｓ３０１）、（Ｓ４０１）。パソコン６１はＯＳを起動し（Ｓ３０２）、待機状態となる。
【００８５】
プリンタ６０にリムーバブルメモリ１１１を挿入すると、プリンタ６０はこれを認識し（Ｓ４５０）、パソコン６１に起動信号を送信する（Ｓ４５１）。パソコン６１はこの起動信号を受信し（Ｓ３５０）、ダウンローダを起動（Ｓ３５１）、ユーティリティを起動（Ｓ３５２）する。
【００８６】
プリンタ６０はリムーバブルメモリ１１１内に記憶された原色系の画像データを送信する（Ｓ４５２）。パソコン６１はこの画像データを受信する（Ｓ３５３）。この後、使用者は印刷画像の選択、印刷枚数と印刷レイアウトの入力を行い（Ｓ３５４）、この入力を受けて原色系の画像データをプリンター６０に適合する補色系の画像データに変換して印刷データを作成し、入力された印刷枚数、印刷レイアウト等と共にプリンター６０へ送信する（Ｓ３５５）。
【００８７】
プリンタ６０は、この印刷データを受信し（Ｓ４５３）、印刷を実行する（Ｓ４５４）。
【００８８】
画像の印刷が終了すると、ダウンローダは作成した印刷データを削除し（Ｓ３５６）、ダウンローダ自身も終了する。以上がパソコン６１とプリンター６０を通信手段で接続し、リムーバブルメモリ１１１をプリンター６０に挿入した時の相互の概略の動作である。
【００８９】
このようにすることで従来からある機器との互換性を保つことができ混乱を生じなくすることも可能である。
【００９０】
一方、この互換性を必要としなければ、光学装置はリムーバブルメモリ１１１に原色系と補色系の両方の画像データを記憶させておき、このリムーバブルメモリ１１１が挿入されたプリンター６０は、パソコン６１へ原色系の画像データ（例えば所謂サムネイル画像）を送信し、パソコン６１は印刷画像の選択、印刷枚数入力、印刷レイアウトをプリンター６０へ送信し、プリンター６０はリムーバブルメモリ１１１内の選択された画像の補色系のデータを読み出し、この補色系のデータに基づき印刷を実行するよう構成してもよい。これによりパソコン６１での原色系の画像データをプリンター６０に適合する補色系の画像データに変換する時間を省略し変換による色再現性の悪化を防止することも可能となる。
【００９１】
このパソコン６１の機能をプリンター６０側に備えることで、所謂ダイレクトプリントも可能である。この場合も従来の機器との互換性を必要としなければ、光学装置はリムーバブルメモリ１１１に原色系と補色系の両方の画像データを記憶させておき、このリムーバブルメモリ１１１が挿入されたプリンター６０は印刷時に必要な方を選択して使用するように構成してもよい。
【００９２】
【発明の効果】
以上説明したように、必要とする色成分情報が異なる種々の出力機器へ画像データを送出する際に、その必要とする色成分情報がどちらであっても処理時間がかからず、出力機器側へ正確な色再現の可能な画像データを送出できる光学装置を得ることができるようになった。
【図面の簡単な説明】
【図１】本発明を適用した光学装置の一例のデジタルカメラの外観図である。
【図２】本発明を適用した光学装置の一例のデジタルカメラの概略ブロック図である。
【図３】撮像素子の１画素の断面構造を示す模式図である。
【図４】撮影及び記録動作時の概略動作を示すフローチャートである。
【図５】デジタルカメラとプリンターを接続した図である。
【図６】デジタルカメラとプリンターを通信手段で接続した時の相互の概略の動作を示すフローチャートである。
【図７】カメラとプリンターを、パソコンを介し接続した図である。
【図８】デジタルカメラとパソコンとプリンターを通信手段で接続した時の相互の概略の動作を示すフローチャートである。
【図９】パソコンに接続されたプリンターに、リムーバブルメモリをＰＣカードアダプタを介して挿入する場合の図である。
【図１０】プリンターに、リムーバブルメモリを挿入した時の、パソコンとプリンターの相互の概略動作のフローチャートである。
【符号の説明】
４２Ｂ、４２Ｇ、４２Ｒ  光起電力セル
４４Ｂ、４４Ｇ、４４Ｒ  透明導電層
４８ａ、４８ｂ、４８ｃ、４８ｄ  接続端子
５０  デジタルカメラ
６０  プリンター
６１  パソコン
７０  通信手段（ＵＳＢケーブル）
７１  通信手段（ＵＳＢケーブル）
１３０  制御記録部（パソコン）
１３１  キーボード
１３２  マウス
１３３  表示部
【図１】
2004274308.tif 000003
【図２】
2004274308.tif 000004
【図３】
2004274308.tif 000005
【図４】
2004274308.tif 000006
【図５】
2004274308.tif 000007
【図６】
2004274308.tif 000008
【図７】
2004274308.tif 000009
【図８】
2004274308.tif 000010
【図９】
2004274308.tif 000011
【図１０】
2004274308.tif 000012